(57)【要約】      （修正有）【課題】本撮影前のスルー画像の露出を安定させることができる撮影装置を提供する。【解決手段】撮影対象とする人物が写り込まない領域に設定された所定の検出領域Ｓの露光量を検出し、その露光量に基づいてスルー画像の露出が制御される。これにより、人物の移動に基づく露光量の変化を受けずにスルー画像の安定した明るさでモニタに表示させることができる。【選択図】図４
2006086614.tif 000002
【特許請求の範囲】
【請求項１】
本撮影の前にスルー画像をモニタに表示させながら人物を所定位置から撮影する撮影装置において、
撮影対象とする人物が写り込まない領域に設定された所定の検出領域の露光量を検出する露光量検出手段と、
前記露光量検出手段で検出された露光量に基づいてスルー画像の露出を制御する露出制御手段と、
を備えたことを特徴とする撮影装置。
【請求項２】
本撮影の前にスルー画像をモニタに表示させながら人物を所定位置から撮影する撮影装置において、
あらかじめ設定された所定の検出領域の露光量を検出する露光量検出手段と、
スルー画像の撮影開始時に前記露光量検出手段で検出された露光量に基づいてスルー画像の露出を制御する露出制御手段と、
を備えたことを特徴とする撮影装置。
【請求項３】
所定の撮影領域内における人物の有無を検出する人物検出手段を備え、前記露出制御手段は、前記人物検出手段で人物が検出された時に開始時に前記露光量検出手段で検出された露光量に基づいてスルー画像の露出を制御することを特徴とする請求項２に記載の撮影装置。
【請求項４】
前記露出制御手段は、スルー画像の撮影中に前記露光量検出手段で検出された露光量が、あらかじめ設定された規定範囲を超えると、該規定範囲を超えた露光量に基づいてスルー画像の露出を制御することを特徴とする請求項２又は３に記載の撮影装置。
【請求項５】
露光量の増減を指示する指示手段を備え、前記露出制御手段は、該指示手段で指示された増減量で増減した露光量に基づいてスルー画像の露出を制御することを特徴とする請求項２又は３に記載の撮影装置。
【請求項６】
本撮影の前にスルー画像をモニタに表示させながら人物を所定位置から撮影する撮影装置において、
規定の露光量が記憶された記憶手段と、
露光量の増減を指示する指示手段と、
前記記憶手段に記憶された露光量に基づいてスルー画像の露出を制御するとともに、前記指示手段で露光量の増減が指示されると、前記規定の露光量を指示された増減量で増減した露光量に基づいてスルー画像の露出を制御する露出制御手段と、
を備えたことを特徴とする撮影装置。
【発明の詳細な説明】
【技術分野】
【０００１】
本発明は撮影装置に係り、特にアミューズメントシールプリント機などのように、本撮影の前にモニタにスルー画像を表示させながら、所定のスクリーンを背景にした人物を所定位置から撮影する撮影装置に関する。
【背景技術】
【０００２】
たとえば、アミューズメントシールプリント機などのように、本撮影の前にモニタにスルー画像を表示させながら人物を撮影する撮影装置の場合、そのスルー画像の露出制御は、たとえば画面中央の露光量を検出し、その露光量に基づいて行われていた。
【０００３】
しかし、このようにスルー画像の露出を制御すると、人物が動くたびに露光量が変化し、画面の明るさが頻繁に変化して、非常に見づらいものとなっていた。
【０００４】
特許文献１では、スルー画像の露出制御に通常の撮影に用いるプログラム線図よりも対応する露出値の値幅が広い絞り値とシャッタ速度の組み合わせを持つプログラム線図に基づいてスルー画像の露出制御を行うことが提案されている。
【特許文献１】特開平１０−２２１７３４号公報
【発明の開示】
【発明が解決しようとする課題】
【０００５】
しかしながら、特許文献１の方法では、アミューズメントシールプリント機などのように、照明などによって一定光量が存在する撮影環境下での人物の移動に基づく露光量の変化には対応できず、依然として画面の明るさが安定しないという欠点がある。
【０００６】
本発明は、このような事情に鑑みてなされたもので、本撮影前のスルー画像の露出を安定させることができる撮影装置を提供することを目的とする。
【課題を解決するための手段】
【０００７】
請求項１に係る発明は、前記目的を達成するために、本撮影の前にスルー画像をモニタに表示させながら人物を所定位置から撮影する撮影装置において、撮影対象とする人物が写り込まない領域に設定された所定の検出領域の露光量を検出する露光量検出手段と、前記露光量検出手段で検出された露光量に基づいてスルー画像の露出を制御する露出制御手段と、を備えたことを特徴とする撮影装置を提供する。
【０００８】
本発明によれば、撮影対象とする人物が写り込まない領域に設定された所定の検出領域の露光量に基づいてスルー画像の露出が制御される。これにより、人物が移動しても、スルー画像の露出を安定させることができる。
【０００９】
請求項２に係る発明は、前記目的を達成するために、本撮影の前にスルー画像をモニタに表示させながら人物を所定位置から撮影する撮影装置において、あらかじめ設定された所定の検出領域の露光量を検出する露光量検出手段と、スルー画像の撮影開始時に前記露光量検出手段で検出された露光量に基づいてスルー画像の露出を制御する露出制御手段と、を備えたことを特徴とする撮影装置。
【００１０】
本発明によれば、スルー画像の撮影開始時に検出された露光量に基づく露出に固定してスルー画像の撮影が行われる。これにより、人物が移動しても、スルー画像の露出を安定させることができる。
【００１１】
請求項３に係る発明は、前記目的を達成するために、所定の撮影領域内における人物の有無を検出する人物検出手段を備え、前記露出制御手段は、前記人物検出手段で人物が検出された時に開始時に前記露光量検出手段で検出された露光量に基づいてスルー画像の露出を制御することを特徴とする請求項２に記載の撮影装置を提供する。
【００１２】
本発明によれば、人物検出手段で所定の撮影領域内に人物が入った時に検出された露光量に基づく露出に固定してスルー画像の撮影が行われる。これにより、人物が移動しても、スルー画像の露出を安定させることができる。
【００１３】
また、請求項４に係る発明は、前記目的を達成するために、前記露出制御手段は、スルー画像の撮影中に前記露光量検出手段で検出された露光量が、あらかじめ設定された規定範囲を超えると、該規定範囲を超えた露光量に基づいてスルー画像の露出を制御することを特徴とする請求項２又は３に記載の撮影装置を提供する。
【００１４】
本発明によれば、あらかじめ設定された規定範囲を超えて露光量が変化すると、その変化した露光量に基づいてスルー画像の露出が制御される。これにより、急激に露光量が変化した場合であっても、ユーザが見やすいスルー画像を表示させることができる。
【００１５】
また、請求項５に係る発明は、前記目的を達成するために、露光量の増減を指示する指示手段を備え、前記露出制御手段は、該指示手段で指示された増減量で増減した露光量に基づいてスルー画像の露出を制御することを特徴とする請求項２又は３に記載の撮影装置を提供する。
【００１６】
本発明によれば、設定された露光量を手動で修正することができる。これにより、ユーザの好みに合わせた明るさに修正することができる。
【００１７】
また、請求項６に係る発明は前記目的を達成するために、本撮影の前にスルー画像をモニタに表示させながら人物を所定位置から撮影する撮影装置において、規定の露光量が記憶された記憶手段と、露光量の増減を指示する指示手段と、前記記憶手段に記憶された露光量に基づいてスルー画像の露出を制御するとともに、前記指示手段で露光量の増減が指示されると、前記規定の露光量を指示された増減量で増減した露光量に基づいてスルー画像の露出を制御する露出制御手段と、を備えたことを特徴とする撮影装置を提供する。
【００１８】
本発明によれば、露光量をユーザが任意に設定することができる。これにより、ユーザの好みに合わせた明るさに修正することができるとともに、人物が移動しても、スルー画像の露出を安定させることができる。
【発明の効果】
【００１９】
本発明に係る撮影装置によれば、本撮影前のスルー画像の露出を安定させることができる。
【発明を実施するための最良の形態】
【００２０】
以下、添付図面に従って本発明に係る撮影装置を実施するための最良の形態について説明する。
【００２１】
図１は、本発明が適用されたアミューズメントシールプリント機の概略構成を示す図であり、図２は、その電気的構成を示すブロック図である。
【００２２】
同図に示すように、アミューズメントシールプリント機１０は、所定の撮影室１２内で所定のスクリーン１１を背景にして人物Ｐを撮影し、シールプリントにして提供するものであり、カメラ１４、モニタ１６、タッチパネル１８、プリンタ２０、課金装置２２、スピーカ２４、照明装置２６、制御装置２８で構成されている。
【００２３】
制御装置２８は、アミューズメントシールプリント機全体の動作を統括制御する。この制御装置２８は、一般的なＰＣ（パーソナルコンピュータ）で構成されており、ＣＰＵ（中央処理装置）３０、ＲＯＭ３２、ＲＡＭ３４、ＨＤＤ（ハードディスク装置）３６の他、周辺機器を接続するためのＵＳＢボード３８、ＶＧＡボード４０、Ｉ／Ｏボード４２、ＳＣＳＩボード４４、サウンドボード４６等を備えている。
【００２４】
カメラ１４は、デジタルカメラで構成されており、制御装置２８のＵＳＢボード３８に接続されている。なお、このカメラ１２の具体的な構成については後に詳述する。
【００２５】
モニタ１６は、制御装置２８のＶＧＡボード４０に接続されており、制御装置２８による制御の下、撮影画像や各種の操作案内等を表示する。
【００２６】
タッチパネル１８は、モニタ１４の表示画面上に設けられており、タッチパネル制御ボックス４８を介して制御装置２８のＩ／Ｏボード４２に接続されている。タッチパネル制御ボックス４８は、タッチパネル上のユーザによる押圧位置座標データを検出し、制御装置２８に出力する。
【００２７】
プリンタ２０は、制御装置２８のＳＣＳＩボード４４に接続されており、制御装置２８による制御の下、制御装置２８からプリントする画像データを受け取り、プリントシールに印刷して出力する。
【００２８】
課金装置２２は、制御基板５０を介して制御装置２８のＩ／Ｏボード４２に接続されている。この課金装置２２は、コイン投入口から投入されるコインを検出し、制御基板５０を介して制御装置２８に出力する。
【００２９】
スピーカ２４は、アンプ５２を介して制御装置２８のサウンドボード４６に接続されている。制御装置２８は、サウンドボード４６を介して所定の音声ガイダンス等のメッセージを出力する。
【００３０】
図３は、カメラ１４の電気的構成を示すブロック図である。同図に示すように、カメラ１４は、カメラＣＰＵ１００、ＲＯＭ１０２、メモリ（ＳＤＲＡＭ）１０４、光学ユニット１１０、フォーカスモータドライバ１１２、アイリスモータドライバ１１４、撮像素子１１６、タイミングジェネレータ（ＴＧ）１１８、アナログ処理回路１２０、Ａ／Ｄ変換器１２２、画像入力コントローラ１２４、画像信号処理回路１２６、ＵＳＢインターフェース１２８、ＡＦ検出回路１３０、ＡＥ検出回路１３２等で構成されている。
【００３１】
カメラＣＰＵ１００は、制御装置２８とのＣＰＵ間通信により、カメラ全体の動作を制御する制御部として機能するとともに、各種の演算処理を行う演算手段として機能し、所定の制御プログラムに従って各回路を制御する。
【００３２】
バス１３４を介して接続されたＲＯＭ１０２には、カメラＣＰＵ１００が実行する制御プログラム及び制御に必要な各種データ等が格納されている。また、メモリ（ＳＤＲＡＭ）１０４は、カメラＣＰＵ１００の演算作業用領域として利用されるとともに、画像データの一時記憶領域として利用される。
【００３３】
光学ユニット１１０は、撮影レンズ１３６と絞り１３８とで構成されている。撮影レンズ１３６は、図示しないフォーカスモータに駆動されて光軸に沿って前後移動するフォーカスレンズを備えており、カメラＣＰＵ１００は、フォーカスモータドライバ１１２を介してフォーカスモータの駆動を制御することにより、撮影レンズ１３６のフォーカスを制御する。絞り１３８は、図示しないアイリスモータに駆動されることにより、開口量（絞り値）が変化する。カメラＣＰＵ１００は、アイリスモータドライバ１１４を介してアイリスモータの駆動を制御することにより、絞り１３８の絞り値を制御する。
【００３４】
撮像素子１１６は、カラーＣＣＤで構成されており、その受光面には多数のフォトダイオード（受光素子）が配列されている。光学ユニット１１０を介して撮像素子１１６の受光面に入射した光は、各フォトダイオードによって入射光量に応じた量の信号電荷に変換される。
【００３５】
タイミングジェネレータ（ＴＧ）１１８は、カメラＣＰＵ１００からの指令に従い、主として撮像素子１１６を駆動するためのタイミング信号を生成する。撮像素子１１６は、このタイミングジェネレータ１１８から加えられるタイミング信号に従って各フォトダイオードに蓄積された信号電荷を電圧信号（画像信号）として出力する。
【００３６】
なお、この撮像素子１１６には、シャッターゲートパルスのタイミングによって各フォトセンサの電荷蓄積時間（シャッタスピード）を制御する、いわゆる電子シャッタ機能が備えられている。
【００３７】
アナログ処理回路１２０は、撮像素子１１６から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００３８】
Ａ／Ｄ変換器１２２は、アナログ処理回路１２０から出力されたＲ、Ｇ、Ｂのアナログの画像信号をそれぞれ１２ビットのデジタルの画像信号に変換する。
【００３９】
画像入力コントローラ１２４は、所定容量のラインバッファを内蔵し、Ａ／Ｄ変換器１２２から出力された１画像分の画像信号を蓄積して、メモリ１０４に格納する。
【００４０】
画像信号処理回路１２６は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、カメラＣＰＵ１００からの指令に従って入力されたデジタル画像信号に所要の信号処理を施して、画像データを生成する。
【００４１】
ＵＳＢインターフェース１２８は、制御装置２８との間でＵＳＢ規格に従った通信を行う。
【００４２】
ＡＦ検出回路１３０は、カメラＣＰＵ１００からの指令に従って、入力された画像信号からＡＦ制御に必要な物理量を算出する。本実施の形態のカメラ１４では、画像のコントラストによりＡＦ制御を行うものとし、ＡＦ検出回路１３０は、入力された画像信号から画像の鮮鋭度を示す焦点評価値を算出する。カメラＣＰＵ１００は、このＡＦ検出回路１３０で算出される焦点評価値が極大となるように、フォーカスモータドライバ１１２の駆動を制御し、フォーカスレンズの移動を制御する。
【００４３】
ＡＥ検出回路１３２は、カメラＣＰＵ１００からの指令に従って、入力された画像信号からＡＥ制御に必要な物理量を算出する。
【００４４】
なお、本実施の形態のカメラ１４では、スルー画像用の撮影と本画像用の撮影とで異なるＡＥ制御が行われる。
【００４５】
すなわち、本画像の撮影時（本撮影時）、ＡＥ検出回路１３２は、図４（ａ）に示すように、１画面を複数のエリア（例えば、１６×１６）に分割し、分割した各エリアごとにＲ、Ｇ、Ｂの画像信号の積算値を算出する。カメラＣＰＵ１００は、このＡＥ検出回路１３２から得た積算値に基づいて被写体の明るさ（被写体輝度）を検出し、撮影に適した露光量（撮影ＥＶ値）を算出する。そして、算出した撮影ＥＶ値と所定のプログラム線図から本画像を撮影するための露出、すなわち、感度（ゲイン）、絞り値、シャッタースピードを決定する。
【００４６】
一方、スルー画像の撮影時、ＡＥ検出回路１３２は、図４（ｂ）に示すように、画面の左上隅に設定された検出領域ＳのＲ、Ｇ、Ｂの画像信号の積算値を算出する。カメラＣＰＵ１００は、このＡＥ検出回路１３２から得た積算値に基づいて被写体輝度を検出し、撮影に適した撮影ＥＶ値を算出する。そして、算出した撮影ＥＶ値と所定のプログラム線図からスルー画像を撮影するための露出、すなわち、感度、絞り値、シャッタースピードを決定する。
【００４７】
なお、検出領域Ｓは、撮像素子１１６の撮影範囲内で撮影対象となる人物が写り込まない領域に設定される。これは撮影対象となる人物の移動しても露出が変化しないようにするためである。
【００４８】
次に、前記のごとく構成された本実施の形態のアミューズメントシールプリント機１０の作用について説明する。
【００４９】
図５は、本実施の形態のアミューズメントシールプリント機１０における撮影、プリント処理の手順を示すフローチャートである。
【００５０】
課金装置２２にて規定料金の投入が検出されると（ステップＳ１０）、制御装置２８は、カメラ１４から出力されるスルー画像のデータをモニタ１６に表示させる（ステップＳ１１）。
【００５１】
スルー画像は、撮像素子１１６によって撮像された画像を連続的に表示出力したものであり、その撮影は次のように行われる。
【００５２】
撮像素子１１６は、画像を連続的に撮像して出力する。撮像素子１１６から出力された画像信号は、アナログ処理回路１２０、Ａ／Ｄ変換器１２２を介して画像入力コントローラ１２４からメモリ１０４に格納される。メモリ１０４に格納された画像信号は、画像信号処理回路１２６に加えられ、輝度データ（Ｙ）と色差データ（Ｃｒ、Ｃｂ）とからなる画像データ（ＹＣデータ）に変換されたのち、メモリ１０４に格納される。そして、メモリ１０４からＵＳＢインターフェース１２８を介して制御装置２８に出力される。制御装置２８は、このカメラ１４から連続的に出力された画像データをモニタ１６に出力表示する。
【００５３】
ところで、このスルー画像の撮影時において、本実施の形態のアミューズメントシールプリント機１０のカメラ１４は、図４（ｂ）に示すように、人物が写り込まない画面の左上隅に設定された検出領域Ｓの露光量（撮影ＥＶ値）を検出し、その露光量に基づいてスルー画像を撮影するための露出、すなわち、感度、絞り値、シャッタースピードを決定する。
【００５４】
これにより、人物が写り込まない領域に設定された検出領域Ｓの露光量に基づいてスルー画像の露出を制御することにより、たとえ人物が動いた場合であっても常に一定の明るさのスルー画像をモニタ１６に表示させることができる。
【００５５】
ユーザ（被写体となる人物）は、モニタ１６に表示されたスルー画像を見ながらポーズをとり、タッチパネル１８から撮影指示（セルフタイマによる撮影指示を含む）を入力する。制御装置２８は、この撮影指示の有無を判定し（ステップＳ１２）、撮影指示アリと判定すると、カメラ１４にコマンドを出力し、本画像の露出制御を行わせたのち（ステップＳ１３）、本画像の撮影を実行させる（ステップＳ１４）。
【００５６】
この際、カメラ１４は、上記のように、１画面を複数のエリアに分割して露光量（撮影ＥＶ値）を検出し、その露光量に基づいて本画像の露出、すなわち、感度、絞り値、シャッタースピードを決定する。そして、この露出に基づいて本画像の撮影を行う。これにより、適正露出の下で本画像の撮影を行うことができる。
【００５７】
撮影された画像データは、カメラ１４から制御装置２８に取り込まれ、制御装置２８は、その画像データをプリンタ２０に出力する。プリンタ２０は、入力された画像データをプリントシールに印刷し（ステップＳ１５）、所定のプリント受け取り口に排出する。
【００５８】
このように、本実施の形態のアミューズメントシールプリント機１０によれば、スルー画像の撮影に際して人物が写り込まない領域に設定された領域の露光量に基づいて露出が制御されるため、人物が動いた場合であっても、スルー画像が常に一定の明るさに保たれ、見やすい表示を提供することができる。
【００５９】
なお、本実施の形態では、スルー画像の露出制御を行う際、図４（ｂ）に示すように、画面左上隅に設定された検出領域Ｓの露光量を検出しているが、露光量の検出領域は、これに限定されるものではない。
【００６０】
たとえば、図６に示すように、画面右上隅に設定された検出領域Ｓ2 の露光量を検出してもよいし、画面右下隅に設定された検出領域Ｓ3 あるいは画面左下隅に設定された検出領域Ｓ4 の露光量を検出してもよい。また、検出領域Ｓ1 〜Ｓ4 の露光量を平均を検出してもよいし、検出領域Ｓ1 、Ｓ2 の露光量の平均あるいは検出領域Ｓ3 、Ｓ4 の露光量の平均を検出するようにしてもよい。
【００６１】
また、たとえば、図７（ａ）に示すように、撮影される人物Ｐの前に露光量検出用のボードＢを設置し、そのボードＢの露光量を検出するようにしてもよい。この場合、ボードＢは、撮像素子１１６の撮影範囲に若干入り込むように設置する。たとえば、図７（ｂ）に示すように、撮影範囲の下辺部に所定の幅をもって写り込むように設置する。そして、スルー画像としての表示範囲は、そのボードＢが写り込まない領域を切り出して表示させ、プリントも同様にボードＢが写り込まない領域を切り出してプリントすることが好ましい。
【００６２】
このように、スルー画像の露光量の検出領域は、人物の動きに影響を受けない領域、すなわち、人物が写り込まない領域であれば、任意の領域に設定することができる。
【００６３】
次に、本発明が適用されたアミューズメントシールプリント機１０の第２の実施の形態について説明する。
【００６４】
上述した第１の実施の形態では、スルー画像を表示する際、人物が写り込まない領域の露光量に基づいてスルー画像の露出を制御しているが、本実施の形態では、スルー画像の撮影開始時に検出された露光量に固定して露出制御を行い、スルー画像の撮影を行う。
【００６５】
なお、スルー画像の露出制御以外の構成は、上述した第１の実施の形態のアミューズメントプリント機と同じなので、ここではアミューズメントシールプリント機の処理動作についてのみ説明する。
【００６６】
図８は、第２の実施の形態のアミューズメントシールプリント機における撮影、プリント処理の手順を示すフローチャートである。
【００６７】
課金装置２２にて規定料金の投入が検出されると（ステップＳ２０）、制御装置２８は、カメラ１４にコマンドを出力し、カメラ１４にスルー画像の撮影を行わせる。
【００６８】
カメラ１４は、制御装置２８からのコマンドに応じて、まず、スルー画像を撮影するための露出制御を行う（ステップＳ２１）。
【００６９】
なお、ここでの露出制御は、本画像の露出制御と同じ処理が行われる、すなわち、ＡＥ検出回路１３２にて、分割された複数のエリアごとにＲ、Ｇ、Ｂの画像信号の積算値が算出され、その積算値に基づいてカメラＣＰＵ１００で露光量（撮影ＥＶ値）が算出され、メモリ１０４に記憶される。そして、そのメモリ１０４に記録された撮影ＥＶ値に基づいてスルー画像を撮影するため露出、すなわち、感度、絞り値、シャッタースピードが決定される。
【００７０】
カメラ１４は、このように決定された露出に固定してスルー画像の撮影を行う。そして、制御装置２８は、カメラ１４から出力されるスルー画像のデータをモニタ１６に表示させる（ステップＳ２２）。
【００７１】
このように、露出を固定してスルー画像を撮影することにより、たとえ人物が動いた場合であっても常に一定の明るさのスルー画像を表示させることができる。
【００７２】
ユーザ（被写体となる人物）は、モニタ１６に表示されたスルー画像を見ながらポーズをとり、タッチパネル１８から撮影指示を入力する。制御装置２８は、この撮影指示の有無を判定し（ステップＳ２３）、撮影指示アリと判定すると、カメラ１４にコマンドを出力し、本画像の露出制御を行わせたのち（ステップＳ２４）、本画像の撮影を実行させる（ステップＳ２５）。
【００７３】
撮影された画像データは、カメラ１４から制御装置２８に取り込まれ、制御装置２８は、その画像データをプリンタ２０に出力する。プリンタ２０は、入力された画像データをプリントシールに印刷し（ステップＳ２６）、所定のプリント受け取り口に排出する。
【００７４】
このように、本実施の形態のアミューズメントシールプリント機１０によれば、スルー画像の撮影に際して、撮影開始時に検出された露光量に基づいて露出を決定し、その露出に固定して、スルー画像の撮影が行われるため、人物が動いた場合であっても、スルー画像が常に一定の明るさに保たれ、見やすい表示にすることができる。
【００７５】
ところで、上記のように撮影開始時の露光量に基づく露出に固定して、スルー画像の撮影を行うと、露光量が大きく変化した場合に却って見づらい表示になるおそれがある。
【００７６】
そこで、露光量が規定の範囲を超えて大きく変化した場合には、それに応じてスルー画像の露出を変化させるようにすることが好ましい。
【００７７】
以下、露光量が規定の範囲を超えて大きく変化した場合にスルー画像の露出を変化させる場合の処理について説明する。
【００７８】
図９は、露光量の変化に応じてスルー画像の露出を変化させる場合におけるアミューズメントシールプリント機の撮影、プリント処理の手順を示すフローチャートである。
【００７９】
課金装置２２にて規定料金の投入が検出されると（ステップＳ３０）、制御装置２８は、カメラ１４にコマンドを出力し、カメラ１４にスルー画像の撮影を行わせる。
【００８０】
カメラＣＰＵ１００は、制御装置２８からのコマンドに応じて、まず、スルー画像を撮影するための露出制御を行う（ステップＳ３１）。すなわち、露光量（撮影ＥＶ値）を検出してメモリ１０４に記録し、その露光量に基づいてスルー画像を撮影するための露出、すなわち、感度、絞り値シャッタースピードを決定する。そして、このように決定された露出でスルー画像の撮影を行う。制御装置２８は、カメラ１４から出力されるスルー画像のデータをモニタ１６に表示させる（ステップＳ３２）。
【００８１】
スルー画像の撮影後、カメラ１４のカメラＣＰＵ１００は、再び露光量の検出を行い（ステップＳ３３）、その露光量が、あらかじめ設定された規定範囲を超えているか否か判定する（ステップＳ３４）。この規定範囲は、たとえば、図１０に示すように、撮影開始時に検出された露光量に対して±Ｘの範囲に設定される。
【００８２】
検出された露光量が、規定範囲を超えていないと判定した場合、図１０( ａ）に示すように、カメラＣＰＵ１００は、現状の露出を維持（感度（ゲイン）、絞り値、シャッタースピードを固定）して、スルー画像の撮影を行う。
【００８３】
一方、検出された露光量が、規定範囲を超えていると判定した場合、カメラＣＰＵ１００は、その検出された露光量に基づいて新たに露出を設定する。本例では、感度（ゲイン）、すなわち、アナログ処理回路１２０における増幅率を変化させて露出を設定する（ステップＳ３５）。そして、その新たに設定された露出の下でスルー画像の撮影を行う。
【００８４】
このように、検出された露光量が規定範囲内にあるうちは、露出を一定に保ってスルー画像の撮影を行い、露光量が規定範囲を超えると、露出を変化させて、スルー画像の撮影を行う。
【００８５】
なお、露光量が規定範囲を超えると、カメラＣＰＵ１００は、メモリ１０４に記録されている露光量を新たに検出された露光量に修正し、この修正された露光量に対して規定範囲の設定を行う。
【００８６】
ユーザ（被写体となる人物）は、このように露出制御されたスルー画像を見ながらポーズをとり、タッチパネル１８から撮影指示を入力する。制御装置２８は、この撮影指示の有無を判定し（ステップＳ３６）、撮影指示アリと判定すると、カメラ１４にコマンドを出力し、本画像の露出制御を行わせたのち（ステップＳ３７）、本画像の撮影を実行させる（ステップＳ３８）。
【００８７】
撮影された画像データは、カメラ１４から制御装置２８に取り込まれ、制御装置２８は、その画像データをプリンタ２０に出力する。プリンタ２０は、入力された画像データをプリントシールに印刷し（ステップＳ３９）、所定のプリント受け取り口に排出する。
【００８８】
このように、露光量が規定の範囲を超えて大きく変化した場合には、それに応じてスルー画像の露出（ゲイン）を変化させることにより、スルー画像の表示を更に見やすいものにすることができる。
【００８９】
なお、上記の例では、自動で露出を制御する場合について説明したが、ユーザが手動で露出を調整するようにしてもよい。以下、ユーザが手動で露出を調節する場合について説明する。
【００９０】
図１１は、ユーザが手動でスルー画像の露出を変化させる場合のアミューズメントシールプリント機の撮影、プリント処理の手順を示すフローチャートである。
【００９１】
課金装置２２にて規定料金の投入が検出されると（ステップＳ４０）、制御装置２８は、カメラ１４にコマンドを出力し、カメラ１４にスルー画像の撮影を行わせる。
【００９２】
カメラＣＰＵ１００は、制御装置２８からのコマンドに応じて、まず、スルー画像を撮影するための露出制御を行う（ステップＳ４１）。すなわち、露光量（撮影ＥＶ値）を検出してメモリ１０４に記録し、その露光量に基づいてスルー画像を撮影するための露出、すなわち、感度、絞り値シャッタースピードを決定する。そして、このように決定された露出でスルー画像の撮影を行う。制御装置２８は、カメラ１４から出力されるスルー画像のデータをモニタ１６に表示させる（ステップＳ４２）。
【００９３】
スルー画像の撮影後、カメラ１４のカメラＣＰＵ１００は、ユーザからの露光量増減の指示の有無を判定する（ステップＳ４３）。
【００９４】
ここで、露光量増減の指示は、たとえば、タッチパネル１８で行うものとし、このタッチパネル１８からの露光量増減の指示の有無を判定する。なお、この他に専用の調整ダイヤルを設け、この調整ダイヤルで露出量増減の指示を行うようにしてもよい。
【００９５】
そして、このタッチパネル１８から露光量増減の指示ナシと判定すると、カメラＣＰＵ１００は、現状の露出を維持（感度（ゲイン）、絞り値、シャッタースピードを固定）して、スルー画像の撮影を行う。
【００９６】
一方、露光量の指示アリと判定すると、カメラＣＰＵ１００は、指示された増減量に増減した露光量に基づいて新たに露出を設定する。本例では、感度（ゲイン）、すなわち、アナログ処理回路１２０における増幅率を変化させて露出を設定する（ステップＳ４４）。そして、その新たに設定された露出の下でスルー画像の撮影を行う。
【００９７】
このように、露光量増減の指示があると、露出を変化させて、スルー画像の撮影を行う。ユーザ（被写体となる人物）は、このように露出制御されたスルー画像を見ながらポーズをとり、タッチパネル１８から撮影指示を入力する。制御装置２８は、この撮影指示の有無を判定し（ステップＳ４５）、撮影指示アリと判定すると、カメラ１４にコマンドを出力し、本画像の露出制御を行わせたのち（ステップＳ４６）、本画像の撮影を実行させる（ステップＳ４７）。
【００９８】
撮影された画像データは、カメラ１４から制御装置２８に取り込まれ、制御装置２８は、その画像データをプリンタ２０に出力する。プリンタ２０は、入力された画像データをプリントシールに印刷し（ステップＳ４８）、所定のプリント受け取り口に排出する。
【００９９】
このように、ユーザが手動で露光量を調整できるようにすることにより、スルー画像の表示を更に見やすいものにすることができる。
【０１００】
なお、上記実施の形態では、コイン投入時をもってスルー画像の撮影を開始し、そのスルー画像の撮影開始時の露出に固定してスルー画像の撮影を行っているが、コイン投入前からスルー画像の撮影を行っている場合には、所定の撮影領域に人物が入った時に検出された露光量に基づく露出に固定してスルー画像を行うようにする。この場合において、所定の撮影領域内における人物の有無は、たとえばカメラ１４の前にセンサを設けて、人物の有無を検出したり、撮影画像から人物の有無を検出したり、撮影室１２の出入口にセンサを設けて、人物の有無を検出したりする。また、人物が撮影範囲から出た場合には、本撮影と同様の露出制御を行ってスルー画像の撮影を行う。
【０１０１】
また、本実施の形態では、感度（ゲイン）を変えて露出を変化させているが、絞り値又はシャッタースピードを変えて露出を変化させるようにしてもよい。
【０１０２】
次に、本発明が適用されたアミューズメントシールプリント機１０の第３の実施の形態について説明する。
【０１０３】
本実施の形態では、ユーザが設定した露光量に固定して露出制御を行い、スルー画像の撮影を行う。
【０１０４】
なお、スルー画像の露出制御以外の構成は、上述した第１の実施の形態のアミューズメントプリント機と同じなので、ここではアミューズメントシールプリント機の処理動作についてのみ説明する。
【０１０５】
図１２は、第３の実施の形態のアミューズメントシールプリント機における撮影、プリント処理の手順を示すフローチャートである。
【０１０６】
課金装置２２にて規定料金の投入が検出されると（ステップＳ５０）、制御装置２８は、カメラ１４にコマンドを出力し、カメラ１４にスルー画像の撮影を行わせる。
【０１０７】
カメラＣＰＵ１００は、制御装置２８からのコマンドに応じて、まず、スルー画像を撮影するための露出制御を行う（ステップＳ５１）。すなわち、あらかじめＲＯＭ１０２に記憶された規定の露光値（撮影ＥＶ値）を読み出し、その規定の露光量に基づいてスルー画像を撮影するための露出、すなわち、感度、絞り値シャッタースピードを決定する。そして、このように決定された露出でスルー画像の撮影を行う。制御装置２８は、カメラ１４から出力されるスルー画像のデータをモニタ１６に表示させる（ステップＳ５２）。
【０１０８】
スルー画像の撮影後、カメラ１４のカメラＣＰＵ１００は、ユーザからの露光量増減の指示の有無を判定する（ステップＳ５３）。
【０１０９】
ここで、露光量増減の指示は、たとえば、タッチパネル１８で行うものとし、このタッチパネル１８からの露光量増減の指示の有無を判定する。なお、この他に専用の調整ダイヤルを設け、この調整ダイヤルで露出量増減の指示を行うようにしてもよい。
【０１１０】
そして、このタッチパネル１８から露光量増減の指示ナシと判定すると、カメラＣＰＵ１００は、現状の露出を維持（感度（ゲイン）、絞り値、シャッタースピードを固定）して、スルー画像の撮影を行う。
【０１１１】
一方、露光量増減の指示アリと判定すると、カメラＣＰＵ１００は、規定の露光量を指示された増減量で増減し、その増減した露光量に基づいて新たに露出を設定する。本例では、感度（ゲイン）、すなわち、アナログ処理回路１２０における増幅率を変化させて露出を設定する（ステップＳ５４）。そして、その新たに設定された露出の下でスルー画像の撮影を行う。
【０１１２】
このように、露光量増減の指示があると、露出を変化させて、スルー画像の撮影を行う。ユーザ（被写体となる人物）は、このように露出制御されたスルー画像を見ながらポーズをとり、タッチパネル１８から撮影指示を入力する。制御装置２８は、この撮影指示の有無を判定し（ステップＳ５５）、撮影指示アリと判定すると、カメラ１４にコマンドを出力し、本画像の露出制御を行わせたのち（ステップＳ５６）、本画像の撮影を実行させる（ステップＳ５７）。
【０１１３】
撮影された画像データは、カメラ１４から制御装置２８に取り込まれ、制御装置２８は、その画像データをプリンタ２０に出力する。プリンタ２０は、入力された画像データをプリントシールに印刷し（ステップＳ５８）、所定のプリント受け取り口に排出する。
【０１１４】
このように、本実施の形態のアミューズメントシールプリント機１０によれば、あらかじめ設定された規定の露光量に基づく露出でスルー画像の撮影を行い、その後、ユーザが自分の好みに合わせて露光量を調整できるので、スルー画像の表示を見やすいものにすることができる。また、修正後は、常に一定の露出でスルー画像の撮影が行われるので、ユーザの動きにも影響を受けず、見やすい表示を提供することができる。
【０１１５】
なお、本実施の形態では、感度（ゲイン）を変えて露出を変化させているが、絞り値又はシャッタースピードを変えて露出を変化させるようにしてもよい。
【０１１６】
また、上記一連の実施の形態では、本発明をアミューズメントシールプリント機に適用した場合を例に説明したが、本発明の適用は、これに限定されるものではなく、この他、照明写真機などの所定の位置に立つ人物を所定の位置から撮影する撮影装置に適用することができる。
【０１１７】
また、必ずしも撮影した画像をプリントする必要は無く、たとえば、撮影した画像を記憶媒体に格納して提供するようにしてもよい。
【図面の簡単な説明】
【０１１８】
【図１】アミューズメントシールプリント機の概略構成を示す図
【図２】アミューズメントシールプリント機の電気的構成を示すブロック図
【図３】カメラの電気的構成を示すブロック図
【図４】第１の実施の形態のアミューズメントシールプリント機における露出制御の概念図
【図５】第１の実施の形態のアミューズメントシールプリント機における撮影、プリント処理の手順を示すフローチャート
【図６】スルー画像の露出制御の他の実施の形態の概念図
【図７】スルー画像の露出制御の他の実施の形態の概念図
【図８】第２の実施の形態のアミューズメントシールプリント機における撮影、プリント処理の手順を示すフローチャート
【図９】露光量の変化に応じてスルー画像の露出を変化させる場合におけるアミューズメントシールプリント機の撮影、プリント処理の手順を示すフローチャート
【図１０】露光量の変化に応じてスルー画像の露出を変化させる場合における露出制御の概念図
【図１１】ユーザが手動でスルー画像の露出を変化させる場合のアミューズメントシールプリント機の撮影、プリント処理の手順を示すフローチャート
【図１２】第３の実施の形態のアミューズメントシールプリント機における撮影、プリント処理の手順を示すフローチャート
【符号の説明】
【０１１９】
１０…アミューズメントシールプリント機、１２…撮影室、１４…カメラ、１６…モニタ、１８…タッチパネル、２０…プリンタ、２２…課金装置、２４…スピーカ、２６…照明装置、２８…制御装置、３０…ＣＰＵ（中央処理装置）、３２…ＲＯＭ、３４…ＲＡＭ、３６…ＨＤＤ（ハードディスク装置）、３８…ＵＳＢボード、４０…ＶＧＡボード、４２…Ｉ／Ｏボード、４４…ＳＣＳＩボード、４６…サウンドボード、５０…制御基板、５２…アンプ、１００…カメラＣＰＵ、１０２…ＲＯＭ、１０４…メモリ（ＳＤＲＡＭ）、１１０…光学ユニット、１１２…フォーカスモータドライバ、１１４…アイリスモータドライバ、１１６…撮像素子、１１８…タイミングジェネレータ（ＴＧ）、１２０…アナログ処理回路、１２２…Ａ／Ｄ変換器、１２４…画像入力コントローラ、１２６…画像信号処理回路、１２８…ＵＳＢインターフェース、１３０…ＡＦ検出回路、１３２…ＡＥ検出回路
【図１】
2006086614.tif 000003
【図２】
2006086614.tif 000004
【図３】
2006086614.tif 000005
【図４】
2006086614.tif 000006
【図５】
2006086614.tif 000007
【図６】
2006086614.tif 000008
【図７】
2006086614.tif 000009
【図８】
2006086614.tif 000010
【図９】
2006086614.tif 000011
【図１０】
2006086614.tif 000012
【図１１】
2006086614.tif 000013
【図１２】
2006086614.tif 000014